(57)【要約】【課題】被介護者側からカメラを見えにくくして、カメラによって監視されているという意識を軽減させる。【解決手段】カメラ１０の前面に、複数枚例えば２枚の偏光板２１，２２を相対的に所定角度回転させた状態で重ねて配置して可視光の透過率が２５％以下（好ましくは５〜２５％）とした偏光板ユニット２０を配置して、被介護者側からカメラ１０を見え難くする。【選択図】図１
2019045556.tif 000002
【特許請求の範囲】
【請求項１】
可視光領域および赤外線領域で撮影可能な感度を有し、監視対象エリアを撮影するカメラと、上記カメラの上記監視対象エリア側の前面に配置される偏光板ユニットとを備え、
上記偏光板ユニットには、ともに可視光領域で偏光特性を有し赤外線領域では偏光特性を有さない複数枚の偏光板が相対的に所定角度回転した状態で重ねて配置されており、上記偏光板ユニット全体での可視光領域における透過率が２５％以下であることを特徴とする監視装置。
【請求項２】
上記偏光板ユニット全体での可視光領域における透過率が５〜２５％であることを特徴とする請求項１に記載の監視装置。
【請求項３】
上記偏光板が２枚であり、それら偏光軸の相対的回転角度が４０〜６５度であることを特徴とする請求項１または２に記載の監視装置。
【請求項４】
上記監視対象エリアの照度を測定する照度計と、上記監視対象エリア内の人を検知する人感センサと、上記監視対象エリアに赤外線および／または可視光の補助光を照射する発光部と、上記発光部を制御する制御部とをさらに備え、上記制御部は、上記照度計にて測定される照度が所定値以下で、かつ、上記人感センサで人が検知されたとき、上記発光部を駆動することを特徴とする請求項１ないし３のいずれか１項に記載の監視装置。
【発明の詳細な説明】
【技術分野】
【０００１】
本発明は、例えば入院病棟等でカメラにより被介護者（患者）の様子を監視する監視装置に関し、さらに詳しく言えば、偏光板によって被介護者側からカメラを見えにくくして、カメラの存在を意識させないようにした監視装置に関するものである。
【背景技術】
【０００２】
特に老人ホーム等では、介護を要する被介護者の様子をカメラにて昼夜を問わず常時監視するようにしているが、被介護者の中には、監視されているという意識が強く、不快な思いをしたり、また、カメラの存在自体が目障りである、と感ずる人がいる。そのため、監視カメラは目立たない、好ましくは見えないように隠す方がよい。
【０００３】
特許文献１には、カメラの前面に偏光板を配置することが記載されているが、これは主として、可視光領域での反射を抑えて明瞭な画像を得るとともに、暗所での赤外線撮影においては画像の暗化を防止するためであり、被写体側からカメラが見えることがある。
【０００４】
特許文献１に記載された発明で使用される偏光板は１枚であるが、偏光板を２枚使用する技術も存在する。例えば、特許文献２では、２枚の偏光板の相対回転角度を変えることにより、透過光量を変化させることが記載されている。
【０００５】
しかしながら、特許文献２は、カメラの露出を制御する技術に関するもので、カメラによる監視の意識を軽減するため、カメラ自体を見えにくくする、というものではない。
【０００６】
監視カメラを隠す別の方法として、マジックミラーを用いる方法があるが、マジックミラーは赤外線領域においても透過率が低く、撮影画像が暗化してしまう。対策としては、照明装置として高輝度の補助光を用いればよいのであるが、コスト的にも、また省エネルギーの観点からも好ましくない。
【先行技術文献】
【特許文献】
【０００７】
【特許文献１】特開２０１５−２１２７４２号公報
【特許文献２】特開２００６−３３７６５８号公報
【発明の概要】
【発明が解決しようとする課題】
【０００８】
そこで、本発明の課題は、例えば入院病棟等でカメラにより被介護者（患者）の様子や動静を監視する監視装置において、簡単な構成によって、被介護者側からカメラを見えにくくして、カメラによって監視されているという意識を軽減させることにある。
【課題を解決するための手段】
【０００９】
上記課題を解決するため、本発明の監視装置は、可視光領域および赤外線領域で撮影可能な感度を有し、監視対象エリアを撮影するカメラと、上記カメラの上記監視対象エリア側の前面に配置される偏光板ユニットとを備え、上記偏光板ユニットには、ともに可視光領域で偏光特性を有し赤外線領域では偏光特性を有さない複数枚の偏光板が相対的に所定角度回転した状態で重ねて配置されており、上記偏光板ユニット全体での可視光領域における透過率が２５％以下であることを特徴としている。
【００１０】
本発明において、上記偏光板ユニット全体での可視光領域における透過率は５〜２５％であることが好ましい。
【００１１】
上記のような透過率を得るには、上記偏光板が２枚である場合、それら偏光軸の相対的回転角度は４０〜６５度である。
【００１２】
また、上記監視対象エリアの照度を測定する照度計と、上記監視対象エリア内の人を検知する人感センサと、上記監視対象エリアに赤外線および／または可視光の補助光を照射する発光部と、上記発光部を制御する制御部とをさらに備え、上記制御部は、上記照度計にて測定される照度が所定値以下で、かつ、上記人感センサで人が検知されたとき、上記発光部を駆動する態様も本発明に含まれる。
【発明の効果】
【００１３】
本発明によれば、カメラの前面に、複数枚の偏光板を相対的に所定角度回転させた状態で重ねて配置して透過率が２５％以下（好ましくは５〜２５％）とした偏光板ユニットを配置したことにより、被介護者側からカメラを見えくくすることができ、カメラで監視されているという意識が軽減される。
【図面の簡単な説明】
【００１４】
【図１】本発明の実施形態に係る監視装置を模式的に示す斜視図。
【図２】上記監視装置が備える偏光板ユニットに含まれる２枚の偏光板の組合せを示す模式図。
【図３】上記偏光板ユニットに含まれる偏光板を３枚として例を示す斜視図。
【図４】上記監視装置が備える補助照明装置の一例を示す回路図。
【発明を実施するための形態】
【００１５】
次に、図１ないし図４により、本発明の実施形態について説明するが、本発明はこれに限定されるものではない。
【００１６】
図１に示すように、この実施形態に係る監視装置は、基本的な構成として、監視対象エリアＡを撮影（撮像）するカメラ１０と、偏光板ユニット２０とを備えている。
【００１７】
カメラ１０は、可視光領域および赤外線領域で撮影可能な感度を有するカメラで、市販品を使用することができる。この実施形態では、監視対象エリアＡを被介護者が寝起きするベッドおよびその周辺としているが、例えば自動ドア開閉装置やセキュリティ装置に用いられたり、車両検出用として用いられてもよい。この種の監視用カメラ１０は、多くの場合、壁の高所や天井面、もしくはスタンド等により監視対象エリアＡを俯瞰し得る場所に設置される。
【００１８】
偏光板ユニット２０は、カメラ１０の監視対象エリアＡ側の前面に配置される。実際には、偏光板ユニット２０はカメラ１０とともに、図示しないカメラ収納用の筐体内にカメラ１０の前面を覆うようにして収納される。
【００１９】
この実施形態において、偏光板ユニット２０には２枚の偏光板２１，２２が含まれている。偏光板２１，２２ともに、可視光領域で偏光特性を有するが、赤外線領域では偏光特性を有さない偏光板である。偏光板は、偏光フィルムもしくは偏光シート等と呼ばれてもよい。
【００２０】
ここで、可視光とは波長が３６０ｎｍ〜７００ｎｍ未満の光、赤外線（赤外光）とは波長が７００ｎｍ以上、特には７００〜９４０ｎｍの範囲内の光を言う。
【００２１】
偏光板２１，２２には、一例として、ヨウ素等により染色されたポリビニルアルコールを一軸延伸した延伸フィルムの両面に、トリアセチルセルロース（ＴＡＣ）よりなる保護層が設けられている偏光板で、上記したように、可視光に対しては偏光特性を有し、赤外線は透過する特性を有するものであれば、市販品を採用することができる。
【００２２】
偏光板２１と偏光板２２は重ねて配置されるが、その一方の偏光板に対して他方の偏光板を回転させて、一方の偏光板の偏光軸に対して他方の偏光板の偏光軸を所定の角度傾けることにより、偏光板ユニット２０の可視光に対する透過率を変化させることができる。
【００２３】
図２にその一例として、偏光板２１の偏光軸に対して、偏光板２２の偏光軸を５０度傾けて（回転させて）、偏光板２１と偏光板２２を重ね合わせて偏光板ユニット２０とした例を示す。本明細書において、このように、一方の偏光板の偏光軸に対して他方の偏光板の偏光軸を回転させる角度（図２の例では５０度）を相対回転角度と言う。
【００２４】
実施例として、監視対象エリアＡ側から見て、カメラ１０が偏光板ユニット２０にて隠されて、カメラ１０が見え難くなるときの透過率を求めるため、次のような実験を行った。
【００２５】
偏光板２１，２２として、アーテック（型番：０９３４９３）を２枚用意した。透過率は、日立ハイテクフィールディング社製の分光光度計Ｕ−４１００により測定した。評価は肉眼判定で、カメラが明瞭に見える（隠蔽効果なし）を「×」、見え難くなり始める（隠蔽効果が現れ始める）を「△」、見え難い（隠蔽効果あり）を「○」とした。
【００２６】
上記アーテック偏光板の５５０ｎｍの透過率は５１．７％，９４０ｎｍの透過率は８８．０％であった。一方の偏光板２１はその偏光軸を水平として固定し、他方の偏光板２２を０度（平行），２０度，２５度，３０度，４０度，４５度，５０度，６０度，６５度，７０度，９０度（直交）、と回転させて、５５０ｎｍの透過率と、９４０ｎｍの透過率を測定した。その結果を次表１に示す。
【００２７】
【表１】
2019045556.tif 000003
【００２８】
５５０ｎｍの透過率が２５％でカメラが見え難くなり始め、透過率が２２％より小さくなると隠蔽効果が十分に発揮されカメラが見え難くなる。したがって、被介護者をしてカメラを意識させない５５０ｎｍの透過率は２５％以下である。
【００２９】
なお、５５０ｎｍの透過率が５％を下回ると、光量不足によって画像が暗化し、また、ヨウ素を用いた偏光板の場合には青漏れ現象が発生するため、５５０ｎｍの好ましい透過率は５〜２５％である。この範囲を相対回転角度で表すと、４０〜６５度（好ましくは４５〜６０度）となる。
【００３０】
偏光板ユニット２０には、図３に示すように、上記実施形態での２枚の偏光板２１，２２にさらに１枚の偏光板２３を加えて３枚の偏光板が含まれてもよい。
【００３１】
この場合、３枚の偏光板２１，２２，２３の合計の透過率（偏光板ユニット２０としての透過率）が５〜２５％であれば、相対回転角度の内訳（偏光板２１と偏光板２２の相対回転角度、偏光板２２と偏光板２３の相対回転角度）は特に問われないが、一例として、偏光板２１と偏光板２２との相対回転角度を１０度、偏光板２２と偏光板２３との相対回転角度を４０度（合計５０度）とした場合の透過率は２１．２％であった。
【００３２】
ところで、暗所で撮影する場合を含めて、上記のように偏光板を複数枚重ねて使用することにより、可視光の光量が減少し、薄暗いところでは、撮影時の光量が不足する可能性がある。そこで、この実施形態に係る監視装置は、図４に示す補助照明装置３０を備えている。
【００３３】
補助照明装置３０は、発光部３１および同発光部３１を制御する制御部３２を備えている。この実施形態において、発光部３１には複数の赤外線発光ダイオード３１１が設けられている。赤外線発光ダイオード３１１に代えて可視光源が用いられてもよい。赤外線発光ダイオード３１１と可視光源が併用されてもよい。
【００３４】
制御部３２は、監視対象エリアＡの照度を測定する照度計３２１と、監視対象エリアＡ内の人を検知する人感センサ３２２と、スイッチＳＷ１，ＳＷ２とを備えている。照度計３２１にはＣｄＳ（硫化カドミウム）やＣＭＯＳセンサもしくはフォトダイオードが用いられてよい。人感センサ３２２は、焦電素子が用いられてよい。スイッチＳＷ１，ＳＷ２には、好ましくはＦＥＴ等の電子スイッチが用いられる。
【００３５】
発光部３１のアノード側の一端はスイッチＳＷ１を介して装置内電源ＤＲＶ接続され、発光部３１のカソード側の他端はスイッチＳＷ２を介して装置内のグランドに接続される。また、照度計３２１はスイッチＳＷ１（ＦＥＴ）のベースに接続され、人感センサー３２２はスイッチＳＷ２（ＦＥＴ）のベースに接続される。
【００３６】
これによれば、監視対象エリアＡの環境が所定照度以下（例えば１００ｌｘ以下）と暗く、かつ、監視対象エリアＡ内に人が存在する場合に、スイッチＳＷ１，ＳＷ２がともにオン（導通）になって発光部３１に電源が供給され、発光部３１が点灯して赤外線が監視対象エリアＡに向けて照射される。
【００３７】
以上説明したように、本発明によれば、カメラ１０の前面に、複数枚の偏光板を相対的に所定角度回転させた状態で重ねて配置して、可視光の透過率が２５％以下、好ましくは５〜２５％（偏光板の相対回転角度で言えば４０〜６５度）とした偏光板ユニット２０を配置したことにより、被介護者側からカメラ１０を見え難くすることができ、カメラ１０で監視されているという意識が軽減される。
【００３８】
また、監視対象エリアＡの環境が所定照度以下（例えば１００ｌｘ以下）と暗く、かつ、監視対象エリアＡ内に人が存在する場合には、補助照明装置より監視対象エリアＡに向けて赤外線および／または可視光が照射されるため、暗い場所でも確実な監視を行うことができる。
【符号の説明】
【００３９】
１０  監視用のカメラ
２０  偏光板ユニット
２１，２２，２３  偏光板
３０  補助照明装置
３１  発光部
３１１  赤外線発光ダイオード
３２  制御部
３２１  照度計
３２２  人感センサ
ＳＷ１，ＳＷ２  スイッチ
【図１】
2019045556.tif 000004
【図２】
2019045556.tif 000005
【図３】
2019045556.tif 000006
【図４】
2019045556.tif 000007